【手続補正書】
【提出日】令和2年5月8日(2020.5.8)
【手続補正１】
【補正対象書類名】特許請求の範囲
【補正対象項目名】全文
【補正方法】変更
【補正の内容】
【特許請求の範囲】
【請求項１】
ウェブサイトにおけるウェブサイトコンテンツに関連する有料検索キャンペーンのキーワードレベルのランディングページを生成するシステムであって、前記システムは、
１組のキャンペーン定義用語を受信し、前記１組のキャンペーン定義用語は、ＳＥＭキャンペーンにおいてＳＥＭキーワードとして能動的にターゲットとされる複数のフレーズを含むように適合されたキーワードリスト管理モジュールと、
前記ウェブサイトコンテンツに関連するウェブサイトコンテンツデータを受信するように適合されたウェブサイトコンテンツ収集モジュールと、
前記ウェブサイトコンテンツ収集モジュールから前記ウェブサイトコンテンツデータを取り出し、前記取り出したウェブサイトコンテンツデータを前記システムのウェブサイトコンテンツデータベースに格納し、
前記受信したキャンペーン定義用語及び前記ウェブサイトコンテンツデータベースに格納された前記取り出したウェブサイトコンテンツデータに基づいて複数のランディングページを生成し、
前記ウェブサイトの外部にあり、前記ウェブサイトコンテンツデータベースにアクセスを有する公開されているウェブページサーバと通信して、前記公開されているウェブページサーバが前記生成されたランディングページを格納して提供できるようにする
ように適合されたランディングページ生成モジュールと
を含むシステム。
【請求項２】
前記１組のキャンペーン定義用語は、ＳＥＭアカウントからの１つ以上のキーワードリスト及び／又は１つ以上のユーザ検索クエリリストを含み、前記ユーザ検索クエリリスト内のユーザ検索クエリは、完全一致ＳＥＭキーワードによって能動的にターゲットとすることができ、又は前記ＳＥＭプラットフォームによるフレーズ又は部分一致ターゲットキーワードを介してトリガすることができる請求項１に記載のシステム。
【請求項３】
前記システムは、ＳＥＭプラットフォームＡＰＩ、手動アップロードの１つから、又はリファラＵＲＬから前記キャンペーン定義用語を取り出すように構成された請求項２に記載のシステム。
【請求項４】
前記キャンペーン定義用語は、複数のキーワードを含み、前記複数のキーワードのそれぞれは、単一のキーワード又は複数の語からなるキーフレーズであり、前記キャンペーン定義用語は、複数のユーザ検索クエリを含み、各ユーザ検索クエリは、単一のキーワード又は複数の語からなるキーフレーズをさらに含む請求項２に記載のシステム。
【請求項５】
前記ウェブサイトコンテンツ収集モジュールは、前記ウェブサイトコンテンツに関連する外部コンテンツを受信するようにさらに適合された請求項１に記載のシステム。
【請求項６】
前記生成されたランディングページを格納して提供するように適合された公開されているウェブページサーバをさらに含む請求項１に記載のシステム。
【請求項７】
前記ウェブページサーバは、前記生成されたランディングページを、前記ウェブページサーバのＩＰアドレスを指す顧客サブドメインＵＲＬ、又はサーバ側ＵＲＬ書き換えを介して顧客サブディレクトリＵＲＬにパブリッシュする請求項２に記載のシステム。
【請求項８】
前記キーワードリスト管理モジュールは、前記ウェブサイトコンテンツデータに関連する記述子に基づいてＳＥＭキーワードセットを分類するようにさらに適合され、又は、前記キーワードリスト管理モジュールは、前記ウェブサイトコンテンツデータに基づく記述子を前記ターゲットとするキーワードセットに関連付けるようにさらに適合され、又は、前記キーワードリスト管理モジュールは、キーワード対コンテンツ関係、同義語、ストップワード、マッチングアルゴリズム、ランキングアルゴリズム、コンテンツの更新／再キャッシュの頻度の１つ以上を定義するようにさらに適合された請求項１に記載のシステム。
【請求項９】
前記ウェブサイトコンテンツデータは、前記ウェブサイトにおけるコンテンツに関連する製品及び／又はサービスデータを含む請求項１に記載のシステム。
【請求項１０】
前記ウェブページ生成モジュールは、各ランディングページについて唯一のリソースロケータを定義することによってランディングページを生成するようにさらに適合され、前記唯一のリソースロケータは、前記キャンペーン定義用語からの全てのキーワードの少なくともサブセットと、前記公開されているウェブページサーバへのリンクとを含み、又は、前記ウェブページ生成モジュールは、他の生成されたランディングページへのハイパーリンクと、前記ウェブサイトコンテンツに基づく動的データと、前記ウェブサイトへのハイパーリンクとの１つ以上を有するランディングページを生成するようにさらに適合された請求項１に記載のシステム。
【請求項１１】
前記キーワードリスト管理モジュールは、検索クエリの組み合わせがキーワードの組み合わせとして以前に使用されていないかどうかを識別するようにさらに適合された請求項１に記載のシステム。
【請求項１２】
ウェブサイトにおけるウェブサイトコンテンツに関連する有料検索キャンペーンのキーワードレベルランディングページを生成する方法であって、前記方法は、
１組のキャンペーン定義用語を受信し、前記１組のキャンペーン定義用語は、ＳＥＭキャンペーンにおいてＳＥＭキーワードとして能動的にターゲットとされる複数のフレーズを含み、
前記ウェブサイトコンテンツに基づいてキーワード対コンテンツの関係を定義し、
前記ウェブサイトコンテンツに関連するウェブサイトコンテンツデータを受信し、
前記ウェブサイトコンテンツデータを取り出し、
前記取り出したウェブサイトコンテンツデータをウェブサイトコンテンツデータベースに格納し、
前記受信したキャンペーン定義用語及び前記ウェブサイトコンテンツデータベースに格納された前記取り出したウェブサイトコンテンツデータに基づいて複数のランディングページを生成し、
前記ウェブサイトの外部にあり、前記ウェブサイトコンテンツデータベースにアクセスを有する公開されているウェブページサーバと通信して、前記公開されているウェブページサーバが、前記ウェブサイトコンテンツデータベースに格納された前記生成されたランディングページを格納して提供できるようにする
ことを含む方法。
【請求項１３】
前記１組のキャンペーン定義用語は、ＳＥＭアカウントからの１つ以上のキーワードリスト及び／又は１つ以上のユーザ検索クエリリストを含み、前記ユーザ検索クエリリスト内のユーザ検索クエリは、完全一致ＳＥＭキーワードによって能動的にターゲットとすることができ、又は前記ＳＥＭプラットフォームによるフレーズ又は部分一致目標キーワードを介してトリガすることができる請求項１２に記載の方法。
【請求項１４】
前記方法は、ＳＥＭプラットフォームＡＰＩ、手動アップロードの１つから、又はリファラＵＲＬから前記キャンペーン定義用語を取り出すステップをさらに含む請求項１３に記載の方法。
【請求項１５】
前記キャンペーン定義用語は、複数のキーワードを含み、前記複数のキーワードのそれぞれは、単一のキーワード又は複数の語からなるキーフレーズであり、又は、前記キャンペーン定義用語は、複数のユーザ検索クエリを含み、各ユーザ検索クエリは、単一のキーワード又は複数の語からなるキーフレーズを含む請求項１３に記載の方法。
【請求項１６】
前記ウェブサイトコンテンツに関連する外部コンテンツを受信するステップをさらに含む請求項１２に記載の方法。
【請求項１７】
前記生成されたランディングページを格納して提供するステップをさらに含む請求項１２に記載の方法。
【請求項１８】
前記生成されたランディングページを、前記ウェブページサーバのＩＰアドレスを指す顧客サブドメインＵＲＬ、又はサーバ側ＵＲＬ書き換えを介して顧客サブディレクトリＵＲＬにパブリッシュするステップをさらに含む請求項１３に記載の方法。
【請求項１９】
前記ウェブサイトコンテンツデータに関連する記述子に基づいてＳＥＭキーワードセットを分類するステップをさらに含む請求項１２に記載の方法。
【請求項２０】
前記ウェブサイトコンテンツデータに基づく記述子を前記ターゲットとするキーワードセットに関連付けるステップをさらに含む請求項１２に記載の方法。
【請求項２１】
キーワード対コンテンツ関係、同義語、ストップワード、マッチングアルゴリズム、ランキングアルゴリズム、コンテンツの更新／再キャッシュの頻度の１つ以上を定義するステップをさらに含む請求項１２に記載の方法。
【請求項２２】
前記ウェブサイトコンテンツデータは、前記ウェブサイトにおけるコンテンツに関連する製品及び／又はサービスデータを含む請求項１２に記載の方法。
【請求項２３】
各ランディングページについて唯一のリソースロケータを定義することによって前記ランディングページを生成するステップをさらに含み、前記唯一のリソースロケータは、前記キャンペーン定義用語からの全てのキーワードの少なくともサブセットと、前記公開されているウェブページサーバへのリンクとを含み、又は、他の生成されたランディングページへのハイパーリンクと、前記ウェブサイトコンテンツに基づく動的データと、前記ウェブサイトへのハイパーリンクとの１つ以上を有するランディングページを生成するステップをさらに含む請求項１２に記載の方法。
【請求項２４】
請求項１２から２３のいずれか一項に記載の方法で定義されたステップを実行するように構成されたサーバ。